(57)【要約】【課題】従来のＡＣアダプタではＡＣ電源がない場合には、負荷機器である携帯電話等に充電することができなかった。  【解決手段】直流電源装置を入力源とし直流電源装置から所定の直流電圧、直流電流を入力するための入力コネクタと、直流電源装置の入力を直接出力する電源ラインと、充放電が可能な２次電池ユニットと、２次電池ユニットを充電制御するための充電制御回路と、２次電池ユニットを電源とし所定の直流電圧、直流電流に変換するＤＣ／ＤＣ変換回路と、負荷機器に接続するための出力コネクタとで構成され、直流電源装置と負荷機器とが接続されていると直流電源装置からの直接出力により負荷機器の充電を行い、直流電源装置のみが接続されていると２次電池ユニットの充電を行い、負荷機器のみが接続されていると２次電池ユニットを電源として負荷機器の充電を行うことにより、有用な携帯アダプタを提供できる。【選択図】図１
2008228475.tif 000002
【特許請求の範囲】
【請求項１】
直流電源装置を入力源とし前記直流電源装置から所定の直流電圧、直流電流を入力するための入力コネクタと、
前記直流電源装置の入力を直接出力する電源ラインと、
充放電が可能な２次電池ユニットと、
前記２次電池ユニットを充電制御するための充電制御回路と、
前記２次電池ユニットを電源とし所定の直流電圧、直流電流に変換するＤＣ／ＤＣ変換回路と、
負荷機器に接続するための出力コネクタとで構成され、
前記直流電源装置と前記負荷機器とが接続されていると前記直流電源装置からの直接出力により前記負荷機器の充電を行い、
前記直流電源装置のみが接続されていると前記２次電池ユニットの充電を行い、
前記負荷機器のみが接続されていると前記２次電池ユニットを電源として前記負荷機器の充電を行うことを特徴とする携帯アダプタ。
【請求項２】
出力コネクタに負荷機器が接続されたことを検出し、ＤＣ／ＤＣ変換回路を駆動させるための端末検出回路を備え、
前記端末検出回路により前記負荷機器の接続が検出されると、２次電池ユニットを電源として前記負荷機器の充電を行うことを特徴とする請求項１記載の携帯アダプタ。
【請求項３】
直流電源装置から入力コネクタに入力されたことを検出するためのアダプタ検出回路を備え、
前記入力コネクタに前記直流電源装置が入力され、かつ出力コネクタに負荷機器が接続されていると前記直流電源装置の入力を直接出力する電源ラインを通じ前記負荷機器の充電を行い、ＤＣ／ＤＣ変換回路からの供給を停止または調整することを特徴とする請求項２記載の携帯アダプタ。
【請求項４】
直流電源装置から負荷機器への電流供給低下を検出する電流検出回路を備え、
前記電流検出回路により電流供給低下が検出されると前記直流電源装置からの電源供給により２次電池ユニットの充電を行うことを特徴とする請求項１〜３いずれかに記載の携帯アダプタ。
【請求項５】
入力コネクタへの直流電源装置の接続を検出するアダプタ検出回路を備え、
前記アダプタ検出回路により前記直流電源装置の接続が検出されるとＤＣ／ＤＣ変換回路からの供給を停止または調整することを特徴とする請求項３または４いずれかに記載の携帯アダプタ。
【発明の詳細な説明】
【技術分野】
【０００１】
本発明は電源装置に関し、携帯端末への電源供給あるいは携帯端末に内蔵された２次電池を充電する携帯アダプタに関する。
【背景技術】
【０００２】
従来の携帯アダプタは、図６のものがよく知られている。
【０００３】
図６は、特開２００４−３２８８３５号公報より引用した図である。
【０００４】
図６では、交流を直流に変換する電源変換回路６０１と、電池と充電回路を備えた２次電池ユニット６０４と、電池出力を所定の直流電圧、直流電流に変換するＤＣ／ＤＣ変換回路６０５と、電源切換回路６１１と、出力コネクタ６０６で構成されている。
【０００５】
従来の技術は、電源変換回路６０１から電源切替回路６１１を介して出力する、あるいは２次電池ユニット６０４からＤＣ／ＤＣ変換回路を介して出力する、あるいは電源変換回路を電源とし内設された電池を充電するかを電源切替回路６１１によりモードを切替えて使用する。  
【特許文献１】特開２００４−３２８８３５号公報
【発明の開示】
【発明が解決しようとする課題】
【０００６】
しかしながら、本発明の携帯アダプタは、入力コネクタに直流電源装置が入力され、かつ携帯端末が出力コネクタに接続されている場合は、アダプタ検出回路によりＤＣ／ＤＣ変換回路からの供給を停止または調整すると同時に直流電源装置が電源となり、直流電源装置の出力を電源ラインから直接携帯端末へ供給することができる。
【０００７】
また、商用交流電源がなくＡＣアダプタの電源がない場合に、携帯端末が出力コネクタに接続されている場合は、端末検出回路によりＤＣ／ＤＣ変換回路を駆動させ、内設された２次電池ユニットを電源とし携帯端末に所定の直流電圧、直流電流を供給することができる。
【０００８】
また、入力コネクタに直流電源装置が入力され、かつ携帯端末が出力コネクタに接続されている場合は、直流電源装置の出力を直接携帯端末へ供給するが、その後携帯端末への電流供給が低下した場合には、その電流低下を検出する電流検出回路により自動的に、直流電源装置を電源とし、内設された前記２次電池ユニットを充電することができ、前記２次電池ユニットの充電、放電の切替えや使用する電源の切替えを目的とした外部の機構スイッチ等を必要としない。
【０００９】
さらに前記入力コネクタに携帯アダプタの出力コードに取り付けられた出力コネクタが接続されたとき、前記アダプタ検出回路により前記ＤＣ／ＤＣ変換回路からの供給を停止または調整することで携帯アダプタの自己ループによる前記２次電池ユニットの充放電を回避する。
【課題を解決するための手段】
【００１０】
上記目的を達成するために本発明の携帯アダプタは、直流電源装置を入力源とし前記直流電源装置から所定の直流電圧、直流電流を入力するための入力コネクタと、前記直流電源装置の入力を直接出力する電源ラインと、充放電が可能な２次電池ユニットと、前記２
次電池ユニットを充電制御するための充電制御回路と、前記２次電池ユニットを電源とし所定の直流電圧、直流電流に変換するＤＣ／ＤＣ変換回路と、負荷機器に接続するための出力コネクタとで構成され、前記直流電源装置と前記負荷機器とが接続されていると前記直流電源装置からの直接出力により前記負荷機器の充電を行い、前記直流電源装置のみが接続されていると前記２次電池ユニットの充電を行い、前記負荷機器のみが接続されていると前記２次電池ユニットを電源として前記負荷機器の充電を行うものである。
【００１１】
また、出力コネクタに負荷機器が接続されたことを検出し、ＤＣ／ＤＣ変換回路を駆動させるための端末検出回路を備え、前記端末検出回路により前記負荷機器の接続が検出されると、２次電池ユニットを電源として前記負荷機器の充電を行うことを特徴とするものである。
【００１２】
また、直流電源装置から入力コネクタに入力されたことを検出するためのアダプタ検出回路を備え、前記入力コネクタに前記直流電源装置が入力され、かつ出力コネクタに負荷機器が接続されていると前記直流電源装置の入力を直接出力する電源ラインを通じ前記負荷機器の充電を行い、ＤＣ／ＤＣ変換回路からの供給を停止または調整することを特徴とするものである。
【００１３】
また、直流電源装置から負荷機器への電流供給低下を検出する電流検出回路を備え、前記電流検出回路により電流供給低下が検出されると前記直流電源装置からの電源供給により２次電池ユニットの充電を行うことを特徴とするものである。
【００１４】
さらに、入力コネクタへの直流電源装置の接続を検出するアダプタ検出回路を備え、前記アダプタ検出回路により前記直流電源装置の接続が検出されるとＤＣ／ＤＣ変換回路からの供給を停止または調整することを特徴とするものである。
【発明の効果】
【００１５】
本発明によると、ＡＣアダプタからの入力を直接出力する、またはＡＣ商用電源のない場所においても内設された２次電池ユニットによりＤＣ／ＤＣ変換回路を介して負荷機器である携帯端末に所定の直流電圧、直流電流を供給することができる。
【００１６】
さらに各動作の移行はユーザーが操作すべき機構スイッチ等による切替えが不要であり、直流電源装置を電源とし、直接携帯端末へ所定の直流電圧、直流電流を供給し、携帯端末への電流供給が低下した場合は、内設された２次電池ユニットへの充電切替えが可能となり、携帯端末の補助電源としてユーザーの利便性が格段に向上する。
【００１７】
さらにユーザーの誤使用により、携帯アダプタの出力が携帯アダプタの入力に接続された場合には自己ループによる内設された電池の充放電を回避できる回路構成としているので安全性、利便性は向上する。
【００１８】
また、内接された２次電池ユニットは、二次電池により構成されており、充電制御回路により電池は適切に充電され、本発明の携帯アダプタは繰り返し使えるので、経済性も向上させることができる。
【発明を実施するための最良の形態】
【００１９】
以下本発明を実施するための最良の形態について、図面を参照しながら説明する。
【００２０】
（実施の形態１）
図１は、本発明の第１実施例である携帯アダプタのブロック図を示している。図１に示すように、直流電源を入力するための入力コネクタ１０１、入力された直流電圧、直流電
流を直接出力する電源ライン１０２、２次電池を充電制御するための充電制御回路１０３、充電が可能な２次電池と電気回路を備えた２次電池ユニット１０４、２次電池ユニットの出力を所定の直流電圧、直流電流に変換するＤＣ／ＤＣ変換回路１０５、出力コネクタ１０６で構成している。直流電源装置１００に商用交流電源の入力がある場合には、入力コネクタ１０１から入力された直流電圧、直流電流を直接出力する電源ライン１０２及び出力コネクタ１０６を介して携帯端末に所定の直流電圧、直流電流を供給するものである。また、入力コネクタ１０１から入力された直流電源は充電制御回路１０３を介して２次電池ユニット１０４を充電できる構成としている。一方、商用交流電源の入力がない場合には、２次電池ユニット１０４からの出力をＤＣ／ＤＣ変換回路１０５及び出力コネクタ１０６を介し負荷機器である携帯端末に供給するものである。
【００２１】
（実施の形態２）
図２は、端末検出回路２０８を備えており、出力コネクタ２０６に携帯端末２０７が接続されたことを検出して２次電池ユニット２０４からの出力をＤＣ／ＤＣ変換回路２０５により所定の直流電圧、直流電流を携帯端末へ供給している。
【００２２】
（実施の形態３）
図３は入力コネクタ３０１に直流電源装置３００が接続されたことを検出するアダプタ検出回路３０９を備えており、入力コネクタ３０１に直流電源装置３００が接続され、出力コネクタに携帯端末が接続されている場合は、直流電源装置３００からの入力を電源ライン３０２により直接携帯端末へ供給し、さらにＤＣ／ＤＣ変換回路３０５の動作を停止または調整する。
【００２３】
（実施の形態４）
図４は、携帯端末４０７への電流供給をモニターする電流検出回路４１０を備えており、直流電源装置４００から電源ライン４０２を介して携帯端末への電源供給がされ、その供給されている電流が低下した場合には、直流電源装置４００からの入力を電源とし、自動的に充電制御回路４０３を介して２次電池ユニット４０４の充電を行う。
【００２４】
（実施の形態５）
図５は、入力された直流電圧、直流電流を直接出力する電源ライン５０２、端末検出回路５０８、アダプタ検出回路５０９、電流検出回路５１０を備えており、入力コネクタ５０１に直流電源装置５００が入力され、かつ出力コネクタ５０６に携帯端末５０７が接続された状態で、直流電源装置５００の入力を直接出力する電源ライン５０２により携帯端末５０７に所定の直流電圧、直流電流を供給し、その後携帯端末５０７への電流供給が低下した場合は、その電流低下を検出する電流検出回路５１０を備え、自動的に直流電源装置５００からの電源供給により２次電池ユニット５０４の充電が可能となる。
【００２５】
さらに、アダプタ検出回路５０９によりＤＣ／ＤＣ変換回路５０５からの供給を停止または調整することができるため、入力コネクタ５０１に携帯アダプタの出力コードに取り付けられた出力コネクタ５０６が接続されたとき、自己ループによる２次電池ユニット５０４の充放電を回避することが可能となる。
【産業上の利用可能性】
【００２６】
本発明にかかるＡＣアダプタからの入力を直接出力する、またはＡＣ商用電源のない場所においても内設された２次電池ユニットによりＤＣ／ＤＣ変換回路を介して携帯端末に所定の直流電圧、直流電流を供給することができる場合において優れた手段を提供する。
【図面の簡単な説明】
【００２７】
【図１】本発明の実施の形態１に示す携帯アダプタのブロック図
【図２】本発明の実施の形態２に示す携帯アダプタのブロック図
【図３】本発明の実施の形態３に示す携帯アダプタのブロック図
【図４】本発明の実施の形態４に示す携帯アダプタのブロック図
【図５】本発明の実施の形態５に示す携帯アダプタのブロック図
【図６】従来の電源装置のブロック図
【符号の説明】
【００２８】
１００  直流電源装置
１０１  入力コネクタ
１０２  電源ライン
１０３  充電制御回路
１０４  ２次電池ユニット
１０５  ＤＣ／ＤＣ変換回路
１０６  出力コネクタ
１０７  携帯端末（負荷機器）
２００  直流電源装置
２０１  入力コネクタ
２０２  電源ライン
２０３  充電制御回路
２０４  ２次電池ユニット
２０５  ＤＣ／ＤＣ変換回路
２０６  出力コネクタ
２０７  携帯端末（負荷機器）
２０８  端末検出回路
３００  直流電源装置
３０１  入力コネクタ
３０２  電源ライン
３０３  充電制御回路
３０４  ２次電池ユニット
３０５  ＤＣ／ＤＣ変換回路
３０６  出力コネクタ
３０７  携帯端末（負荷機器）
３０９  アダプタ検出回路
４００  直流電源装置
４０１  入力コネクタ
４０２  電源ライン
４０３  充電制御回路
４０４  ２次電池ユニット
４０５  ＤＣ／ＤＣ変換回路
４０６  出力コネクタ
４０７  携帯端末（負荷機器）
４１０  電流検出回路
５００  直流電源装置
５０１  入力コネクタ
５０２  電源ライン
５０３  充電制御回路
５０４  ２次電池ユニット
５０５  ＤＣ／ＤＣ変換回路
５０６  出力コネクタ
５０７  携帯端末（負荷機器）
５０８  端末検出回路
５０９  アダプタ検出回路
５１０  電流検出回路
６０１  電源変換回路
６０４  ２次電池ユニット
６０５  ＤＣ／ＤＣ変換回路
６０６  出力コネクタ
６０７  携帯端末（負荷機器）
６１１  電源切替回路
【図１】
2008228475.tif 000003
【図２】
2008228475.tif 000004
【図３】
2008228475.tif 000005
【図４】
2008228475.tif 000006
【図５】
2008228475.tif 000007
【図６】
2008228475.tif 000008